(57)【要約】【課題】  走査信号の波形鈍りを抑えて、表示品位の低下を防止する。【解決手段】  各行の走査線３１２の一端側には、走査線３１２を順番に選択し、選択した走査線３１２に選択電圧を印加する走査線主駆動回路３５０を設ける。走査線３１２を挟んで走査線主駆動回路３５０の反対側には、走査線３１２の各々に対応して、走査線補助駆動回路３６０を設ける。この走査線補助駆動回路３６０は、走査線主駆動回路３５０による選択電圧の印加時に、走査線３１２を当該選択電圧の給電線に接続して、選択電圧の波形鈍りを整形する。【選択図】      図１
2006162828.tif 000002
【特許請求の範囲】
【請求項１】
複数行の走査線と複数列のデータ線との交差に対応して設けられた画素を備え、
選択された走査線に対応する画素に対し、当該画素の階調に対応したデータ信号を、デ
ータ線を介して供給する電気光学装置の駆動回路であって、
前記複数行の走査線の一端側に設けられ、前記複数行の走査線を所定の順番で選択し、
当該選択した走査線に選択電圧を印加する走査線主駆動回路と、
前記複数行の走査線の他端側にて各走査線に対応して設けられ、前記走査線主駆動回路
によって選択電圧が印加されたことを検出すると、走査線に対して当該選択電圧を選択し
て印加する走査線補助駆動回路と
を有することを特徴とする電気光学装置の駆動回路。
【請求項２】
前記走査線主駆動回路は、走査線を非選択とする場合には、当該走査線に保持電圧を印
加し、
前記走査線補助駆動回路は、前記走査線主駆動回路によって保持電圧が印加された走査
線に対しては、ハイインピーダンス状態となる
ことを特徴とする請求項１に記載の電気光学装置の駆動回路。
【請求項３】
前記走査線主駆動回路は、一の走査線に対し、所定の電位を基準として高位側の選択電
圧と低位側の選択電圧とを所定の間隔で交互に印加し、
前記走査線補助駆動回路は、前記走査線主駆動回路によって印加された高位側または低
位側の選択電圧のいずれか一方と、同一の選択電圧を選択して印加する
ことを特徴とする請求項１に記載の電気光学装置の駆動回路。
【請求項４】
前記走査線補助駆動回路は、
前記走査線主駆動回路によって走査線に選択電圧が印加されたことを検出する論理回路
と、
前記論理回路によって選択電圧が印加されたことが検出された場合に、当該選択電圧の
供給線と当該走査線との間において電気的にオンするスイッチング素子と
を含むことを特徴とする請求項１に記載の電気光学装置の駆動回路。
【請求項５】
前記論理回路は、入力端の一方が走査線に接続され、入力端の他方が微分回路を介して
当該走査線に接続されている
ことを特徴とする請求項４に記載の電気光学装置の駆動回路。
【請求項６】
複数行の走査線と複数列のデータ線との交差に対応して設けられた画素と、
前記複数行の走査線の一端側に設けられ、前記複数行の走査線を所定の順番で選択し、
当該選択した走査線に選択電圧を印加する走査線主駆動回路と、
前記複数行の走査線の他端側にて各走査線に対応して設けられ、前記走査線主駆動回路
によって選択電圧が印加されたことを検出すると、走査線に対して当該選択電圧を選択し
て印加する走査線補助駆動回路と、
選択された走査線に対応する画素に対し、当該画素の階調に対応したデータ信号を、デ
ータ線を介して供給するデータ線駆動回路と
を有することを特徴とする電気光学装置。
【請求項７】
請求項６に記載の電気光学装置を備えることを特徴とする電子機器。
【発明の詳細な説明】
【技術分野】
【０００１】
本発明は、走査信号の波形鈍りに起因する表示品位を低減する技術に関する。
【背景技術】
【０００２】
液晶などの電気光学的な変化により表示を行う電気光学装置では、走査線を所定の順番
で選択して選択電圧を印加するとともに、選択走査線に対応する画素の階調に対応したデ
ータ信号を、データ線を介して供給する構成となっている。このような構成では、各走査
線が走査線駆動回路によって駆動されるが、走査線は少なからず抵抗および寄生容量を有
するので、走査線駆動回路の配置側から非配置側に向かうほど、波形鈍りが大きくなる。
この波形鈍りが生じると、画素の液晶素子に印加される電圧実効値が目的値とはならず
に、偏位させてしまうので、表示品位が低下する。このため、走査線駆動回路を走査線の
両端に配置するとともに、両走査線駆動回路によって同一走査線を両端側から駆動する技
術が提言されている（例えば、特許文献１参照）。
【特許文献１】特開平１１−２９５６９６号公報
【発明の開示】
【発明が解決しようとする課題】
【０００３】
しかしながら、この技術では、走査線の両端に同一構成の走査線駆動回路を設けるので
、設置や配線のためにスペースが必要となることや、別付けの場合にはＩＣが２つ必要と
なること、内蔵の場合には製造プロセスが複雑化することなど、低コスト化や小型化の大
きな阻害要因となる。
本発明は、このような事情に鑑みてなされたもので、その目的とするところは、選択電
圧の波形鈍りを簡易な構成によって抑えることが可能な電気光学装置の駆動回路、電気光
学装置および電子機器を提供することにある。
【課題を解決するための手段】
【０００４】
上記目的を達成するために本発明に係る電気光学装置の駆動回路は、複数行の走査線と
複数列のデータ線との交差に対応して設けられた画素を備え、選択された走査線に対応す
る画素に対し、当該画素の階調に対応したデータ信号を、データ線を介して供給する電気
光学装置の駆動回路であって、前記複数行の走査線の一端側に設けられ、前記複数行の走
査線を所定の順番で選択し、当該選択した走査線に選択電圧を印加する走査線主駆動回路
と、前記複数行の走査線の他端側にて各走査線に対応して設けられ、前記走査線主駆動回
路によって選択電圧が印加されたことを検出すると、走査線に対して当該選択電圧を選択
して印加する走査線補助駆動回路とを有することを特徴とする。本発明によれば、走査線
補助駆動回路は、走査線主駆動回路よりも簡素化されるだけでなく、制御信号等が不要で
あるので、選択電圧の波形鈍りを簡易な構成によって抑えることが可能となる。
【０００５】
本発明において、前記走査線主駆動回路は、走査線を非選択とする場合には、当該走査
線に保持電圧を印加し、前記走査線補助駆動回路は、前記走査線主駆動回路によって保持
電圧が印加された走査線に対しては、ハイインピーダンス状態となる構成が好ましい。
また、本発明において、前記走査線主駆動回路は、一の走査線に対し、所定の電位を基
準として高位側の選択電圧と低位側の選択電圧とを所定の間隔で交互に印加し、前記走査
線補助駆動回路は、前記走査線主駆動回路によって印加された高位側または低位側の選択
電圧のいずれか一方と、同一の選択電圧を選択して印加する構成も好ましい。
さらに、本発明において、前記走査線主駆動回路は、一の走査線に対し、所定の電位を
基準として高位側の選択電圧と低位側の選択電圧とを所定の間隔で交互に印加し、前記走
査線補助駆動回路は、前記走査線主駆動回路によって印加された高位側または低位側の選
択電圧のいずれか一方と、同一の選択電圧を選択して印加する構成も好ましい。
くわえて、本発明において、前記走査線補助駆動回路は、前記走査線主駆動回路によっ
て走査線に選択電圧が印加されたことを検出する論理回路と、前記論理回路によって選択
電圧が印加されたことが検出された場合に、当該選択電圧の供給線と当該走査線との間に
おいて電気的にオンするスイッチング素子とを含む構成も好ましい。この構成において、
前記論理回路は、入力端の一方が走査線に接続され、入力端の他方が微分回路を介して当
該走査線に接続されている構成が好ましい。
なお、本発明は、電気光学装置の駆動回路のみならず、電気光学装置としても概念する
ことができる。さらに、当該電気光学装置を備える電子機器としても概念することができ
る。
【発明を実施するための最良の形態】
【０００６】
以下、本発明の実施の形態について図面を参照して説明する。図１は、本発明の実施形
態に係る電気光学装置の構成を示すブロック図である。
この図に示されるように、電気光学装置１０は、液晶パネル１００、データ線駆動回路
２５０、走査線主駆動回路３５０、走査線補助駆動回路３６０および制御回路４００を含
む。
このうち、液晶パネル１００には、複数のデータ線（セグメント電極）２１２が列（Ｙ
）方向に延在する一方、複数の走査線（コモン電極）３１２が行（Ｘ）方向に延在すると
ともに、データ線２１２と走査線３１２との交差に対応して、それぞれ画素１１６が形成
されている。ここで、各画素１１６は、液晶容量１１８と、スイッチング素子の一例であ
るＴＦＤ（Thin Film Diode：薄膜ダイオード）２２０との直列接続からなり、液晶容量
１１８は、後述するように対向電極として機能する走査線３１２と、矩形状の画素電極と
の間に、電気光学物質の一例たる液晶を挟持した構成となっている。
なお、本実施形態にあっては、説明の便宜上、走査線３１２の行数を「３２０」とし、
データ線２１２の列数を「２４０」として、縦３２０行×横２４０列のマトリクス型表示
装置として説明するが、本発明をこれに限定する趣旨ではない。
【０００７】
走査線主駆動回路３５０は、走査信号Ｙ１、Ｙ２、Ｙ３、…、Ｙ３２０を、それぞれ１
行目、２行目、３行目、…、３２０行目の走査線３１２に供給するものであり、３２０行
の走査線３１２を１水平走査期間（１Ｈ）毎に１行ずつ選択するとともに、選択した走査
線に対し、選択電圧±ＶＳのいずれかを印加する一方、その他の走査線に対しては、非選
択（保持）電圧ＶＣを印加する。
詳細には、走査線主駆動回路３５０は、図４に示されるように、垂直走査期間（１Ｆ）
の最初に供給されるスタートパルスＤＹを、１周期が１水平走査期間（１Ｈ）のクロック
信号ＣＬＹの立ち上がりにて順次取り込んでシフトして、走査線３１２の各選択に対応さ
せる。そして、走査線主駆動回路３５０は、ある１水平走査期間においてＨレベルとなっ
たシフト信号に対応する走査線３１２に対し、次のように電圧を選択して印加する。
【０００８】
すなわち、走査線主駆動回路３５０は、Ｈレベルとなったシフト信号に対応する走査線
３１２に対し、選択された１水平走査期間において、極性指示信号ＰＯＬがＨレベルであ
れば、正極性選択電圧＋ＶＳを選択し、当該期間経過後、非選択電圧ＶＣを選択する一方
、選択された１水平走査期間において、極性指示信号ＰＯＬがＬレベルであれば、負極性
選択電圧−ＶＳを選択し、当該期間経過後、非選択電圧ＶＣを選択する。
なお、非選択電圧ＶＣは、本実施形態における電圧の基準である。このため、電圧ＶＣ
（＝０）であり、この電圧ＶＣよりも高位側が正極性であり、低位側が負極性である。
また、実際には、この非選択電圧ＶＣより、やや高い＋ＶＣ１とやや低い-ＶＣ１の２
値の非選択電圧を用いる場合があり、その場合、選択電圧＋ＶＳが印加された後に印加さ
れる非選択電圧を＋ＶＣ１とし、選択電圧-ＶＳが印加された後に印加される非選択電圧
を-ＶＣ１とする。ただし、本発明は非選択電圧の印加電圧の印加方法にかかるものでは
なく、説明を簡単にするため、以降については、非選択電圧はＶＣの１値のみの場合で説
明していくことにする。
また、極性指示信号ＰＯＬは、Ｈレベルであれば正極性書込を指定し、Ｌレベルであれ
ば負極性書込を指定する信号であり、図４に示されるように、１垂直走査期間（１Ｆ）内
では、１水平走査期間（１Ｈ）毎に極性反転するとともに、隣接する１垂直走査期間同士
において同一の水平走査期間に着目しても極性反転する。このように極性反転する理由は
、液晶に直流成分が印加されることによる劣化を防止するためである。
なお、スタートパルスＤＹ、クロック信号ＣＬＹ、極性指示信号ＰＯＬは、上述した制
御回路４００から供給される。また、シフト信号は図示省略している。
【０００９】
一方、図示せぬ上位装置から、階調データＤａがデータ線駆動回路２５０に供給される
。ここで、階調データＤａとは、画素１１６の階調値（明るさ）を６ビットで指定するデ
ータであり、画素１１６の階調値を十進値の「０」から「６３」までの６４段階で指定す
る。詳細には、６ビットの階調データＤｄが「０」（二進値では“００００００”）であ
る場合に最も暗い黒色の表示を指定し、６ビットの十進値が増加するにつれて徐々に明る
くなるようにように階調を指定して、６ビットの十進値が「６３」（２進値では“１１１
１１１”）である場合に最も明るい白色の表示を指定するものとする。さらに、液晶パネ
ル１００が電圧無印加状態において白表示をするノーマリーホワイトモードであるとする
。
【００１０】
このような前提において、データ線駆動回路２５０は、走査線主駆動回路３５０により
選択された走査線３１２に位置する画素１１６の階調値を指定する階調データＤａを、当
該階調値に応じたパルス幅を有するデータ信号に変換し、対応するデータ線２１２に供給
する。この供給動作を、データ線駆動回路２５０は、選択された走査線３１２に位置する
２４０列のそれぞれについて実行する。そこで、１列目、２列目、３列目、…、２４０列
目のデータ線２１２に供給されるデータ信号を、それぞれＸ１、Ｘ２、Ｘ３、…、Ｘ２４
０と表記する。
【００１１】
データ信号の波形と階調データＤａとの関係について図５を参照して説明する。図５は
、ｊ列目（ｊは１≦ｊ≦２４０を満たす整数）のデータ線２１２に供給されるデータ信号
Ｘｊの電圧波形と、選択された走査線３１２に位置する画素１１６に対応する階調データ
Ｄａとの関係を示す図である。
この図に示されるように、データ線駆動回路２５０は、１水平走査期間において正極性
の選択電圧＋ＶＳが印加される場合、当該選択電圧＋ＶＳに位置するｊ列目の画素１１６
に対応する階調データＤａが当該画素を暗くなるように指定するにつれて、当該選択電圧
＋ＶＳとは逆極性の電圧−ＶＤの印加期間を長くする一方、１水平走査期間において負極
性の選択電圧−ＶＳが印加される場合、階調データＤａが当該画素を暗くなるように指定
するにつれて、当該選択電圧−ＶＳとは逆極性の電圧＋ＶＤの印加期間を長くする。
なお、図５におけるハッチングは、選択電圧が印加される期間において、データ信号が
、画素を暗くさせるオン電圧となる期間（パルス幅）を示しており、いずれも１水平走査
期間の終端を基準として、そのパルス幅が時間的に前方に延びた形となっている。また、
図５では代表的な階調値だけを表示している。
【００１２】
次に、画素１１６の構成について説明する。図２は、画素１１６の構造を示すための液
晶パネル１００の部分破断斜視図である。
この図に示されるように液晶パネル１００は、基板２００、３００が一定の間隙を保っ
て電極面が互いに対向するとともに、当該間隙に液晶１６０が挟持された構成となってい
る。基板２００の対向面には、ＩＴＯ（Indium Tin Oxide）などの透明導電体からなる矩
形状の画素電極２３４がマトリクス状に配列しており、このうち、同一列にて配列された
画素電極２３４が、１本のデータ線２１２に、それぞれＴＦＤ２２０を介して共通接続さ
れている。ここで、ＴＦＤ２２０は、基板側からみると、タンタル単体やタンタル合金な
どから形成され、かつ、データ線２１２からＴ字状に枝分かれした第１の導電体２２２と
、この第１の導電体２２２を陽極酸化させた絶縁体２２４と、クロム等などの第２の導電
体２２６とから構成されて、導電体／絶縁体／導電体のサンドイッチ構造となっている。
このため、ＴＦＤ２２０は、電流−電圧特性が正負双方向にわたって非線形となるダイオ
ードスイッチング特性を有することになる。
【００１３】
一方、基板３００の対向面には、ＩＴＯなどからなる走査線３１２が、データ線２１２
とは直交する行方向に延在し、かつ、画素電極２３４の対向する位置に配列している。こ
れにより、走査線３１２は、それ自体が画素電極２３４の対向電極として機能することに
なる。したがって、図１における液晶容量１１８は、データ線２１２と走査線３１２との
交差において、当該走査線３１２と、画素電極２３４と、両者の間に挟持された液晶１６
０とによって構成されることになる。
【００１４】
このような構成において、走査線３１２が選択されて選択電圧±ＶＳのいずれか一方が
印加されると、データ線２１２に印加されているデータ電圧にかかわらず、当該走査線３
１２および当該データ線２１２の交差に対応するＴＦＤ２２０が強制的に導通状態（オン
）となり、オンしたＴＦＤ２２０に接続された液晶容量１１８に、当該選択電圧および当
該データ電圧の差に応じた電荷が蓄積される。電荷蓄積後、走査線３１２の選択が終了し
て非選択電圧ＶＣが印加されると、当該ＴＦＤ２２０をオフするが、液晶容量１１８にお
ける電荷の蓄積が維持される。液晶容量１１８では、蓄積される電荷量に応じて、液晶１
６０の配向状態が変化し、偏光子（図示省略）を通過する光量が蓄積された電荷量に応じ
て変化するので、当該選択電圧が印加されたときのデータ電圧により、液晶容量１１８に
おける電荷の蓄積量が画素毎に制御されて、所定の階調表示が行われることになる。
【００１５】
続いて、本発明の特徴部分である走査線補助駆動回路３６０について説明する。この走
査線補助駆動回路３６０は、図１に示されるように、走査線３１２に一対一に対応して、
走査線主駆動回路３５０とは走査線３１２を挟んで反対側に設けられている。すなわち、
走査線３１２の一端側に走査線主駆動回路３５０が設けられ、走査線３１２の他端側に走
査線補助駆動回路３６０が設けられている。
【００１６】
走査線補助駆動回路３６０の構成は、各行同士で互いに同一であるので、ここでは一般
的にｉ行目（ｉは１≦ｉ≦３２０を満たす整数）の走査線３１２に対応する走査線補助駆
動回路３６０について図３を参照して説明することにする。
図３に示されるように、ｉ行目に対応する走査線補助駆動回路３６０は、微分回路３６
１０、論理回路３６３２、３６４２、ｐチャネル型のトランジスタ３６３４、および、ｎ
チャネル型のトランジスタ３６４４を有し、ｉ行目の走査線３１２は、それぞれ微分回路
３６１０の入力端と、トランジスタ３６３４、３６４４の共通ドレインとにそれぞれ接続
されている。
【００１７】
微分回路３６１０は、コンデンサ３６１２および抵抗３６１４からなり、コンデンサ３
６１２の一端がｉ行目の走査線３１２に接続される一方、コンデンサ３６１２の他端が抵
抗３６１４を介して非選択電圧ＶＣの給電線３５３に接続されている。ここで、便宜的に
コンデンサ３６１２の他端をノードＡとすると、このノードＡは、論理回路３６３２の入
力端と、論理回路３６４２の入力端とにそれぞれ接続されている。
【００１８】
論理回路３６３２は、ノードＡにおける論理レベルの反転値を求めて、トランジスタ３
６３４のゲートに出力するものである。ここで、論理回路３６３２の入力端における論理
レベルの閾値は、非選択電圧ＶＣよりもやや高位であって、正極性の選択電圧＋ＶＳより
も低位であるＶｔｈ１となるように設定されている（図６参照）。また、論理回路３６３
２は、正極性の選択電圧＋ＶＳおよび負極性の選択電圧−ＶＳまたはＶＣを電源として動
作する。
このため、論理回路３６３２の出力信号は、ｉ行目の走査線３１２の電圧が＋ＶＳに変
化して、その変化の微分波形電圧、すなわち、ノードＡの電圧が閾値Ｖｔｈ１以上となっ
たときだけ、Ｌレベルに相当する電圧−ＶＳまたはＶＣとなり、それ以外では、Ｈレベル
に相当する電圧＋ＶＳとなる。
【００１９】
一方、論理回路３６４２は、ノードＡにおける論理レベルの反転値を求めて、トランジ
スタ３６４４のゲートに出力するものである。ここで、論理回路３６４２の入力端におけ
る論理レベルの閾値は、非選択電圧ＶＣよりもやや低位であって、負極性の選択電圧−Ｖ
Ｓよりも高位であるＶｔｈ２となるように設定される。また、論理回路３６４２は、正極
性の選択電圧＋ＶＳまたはＶＣおよび負極性の選択電圧−ＶＳを電源として動作する。こ
のため、論理回路３６４２の出力信号は、ｉ行目の走査線３１２の電圧が−ＶＳに変化し
て、その変化の微分波形電圧、即ち、ノードＡの電圧が閾値Ｖｔｈ２を下回ったとき、Ｈ
レベルに相当する電圧＋ＶＳまたはＶＣとなり、それ以外では、Ｌレベルに相当する電圧
−ＶＳとなる。なお、微分回路３６１０の時定数、即ち、コンデンサ３６１２の容量と抵
抗３６１４の抵抗値との積は、１選択期間１Ｈより短く設定されている。
【００２０】
トランジスタ３６３４のソースは、正極性の選択電圧＋ＶＳの給電線３５５に接続され
ている一方、トランジスタ３６４４のソースは、負極性の選択電圧−ＶＳの給電線３５７
に接続されている。なお、トランジスタ３６３４、３６４４は、スイッチング素子の一例
に過ぎない。また、両トランジスタのドレインがｉ行目の走査線３１２に共通接続されて
いるのは上述した通りである。
【００２１】
ところで、走査線主駆動回路３５０から出力された直後の走査信号波形は、図４に示し
た通りであるが、実際には、走査線３１２の抵抗や寄生容量等によって図６に時間軸に拡
大して示されるように鈍化しまう。この鈍化の程度は、走査線主駆動回路３５０から離れ
るにしたがって、すなわち走査線３１２の他端に向かうにしたがって大きくなるので、走
査線補助駆動回路３６０が存在しないと仮定すると、走査線主駆動回路３５０に近い画素
と、遠い画素とでは、同じ階調とさせる場合であっても、液晶容量１１８の電圧実効値に
差が生じて、表示品位を低下させてしまう。
【００２２】
そこで、走査線補助駆動回路３６０の動作について、走査信号の波形鈍化がどのように
防止されるかという観点から説明する。
ｉ行目の走査線の電圧波形が図６に示されるように鈍化している場合に、微分回路３６
１０の出力であるノードＡの電圧波形は同図に示される通りとなる。
ここで、走査信号Ｙｉが非選択電圧ＶＣから正極性の選択電圧＋ＶＳに変化する際に、
ノードＡの電圧が閾値Ｖｔｈ１以上となると、論理回路３６３２の出力信号は、Ｌレベル
に相当する電圧−ＶＳまたはＶＣとなる。一方、ｉ行目の走査線３１２の電圧が非選択電
圧ＶＣから正極性の選択電圧＋ＶＳに変化する際には、当該走査線電圧が閾値Ｖｔｈ２を
下回ることはないので、論理回路３６４２の出力信号はＬレベルに相当する電圧−ＶＳま
たはＶＣを維持する。このため、トランジスタ３６３４はオンするが、トランジスタ３６
４４はオフを維持するので、ｉ行目の走査線３１２には、トランジスタ３６３４を介して
、正極性の選択電圧＋ＶＳの給電線３５５に接続される。
したがって、図６における整形Ｙｉのように、走査信号Ｙｉが非選択電圧ＶＣから正極
性の選択電圧＋ＶＳに変化する際の波形鈍りが改善されることになる。
なお、微分回路３６１０の時定数は、１選択期間１Ｈより短く設定されているので、当
該選択期間が終了する前にはノードＡの電圧は閾値Ｖｔｈ１を下回り、論理回路３６４２
の出力信号はＨレベルになってトランジスタ３６３４はオフする。したがって、選択期間
が終了して、正極性の選択電圧＋ＶＳから非選択電圧ＶＣに戻るときにその変化を妨げな
い。
【００２３】
一方、ｉ行目の走査信号Ｙｉが非選択電圧ＶＣから負極性の選択電圧−ＶＳに変化する
際に、ノードＡの電圧が閾値Ｖｔｈ２を下回ると、論理回路３６４２の出力信号は、Ｈレ
ベルに相当する電圧＋ＶＳまたはＶＣとなる。一方、走査信号Ｙｉが非選択電圧ＶＣから
負極性の選択電圧−ＶＳに変化する際には、走査線電圧が閾値Ｖｔｈ１以上となることは
ないので、論理回路３６３２の出力信号は、Ｈレベルに相当する電圧＋ＶＳを維持する。
このため、トランジスタ３６４４はオンするが、トランジスタ３６３４はオフを維持する
ので、ｉ行目の走査線３１２には、トランジスタ３６４４を介して、負極性の選択電圧−
ＶＳの給電線３５７に接続される。
したがって、図６における整形Ｙｉのように、走査信号Ｙｉが非選択電圧ＶＣから負極
性の選択電圧−ＶＳに変化する際の波形鈍りが改善されることになる。この場合も、微分
回路３６１０の時定数は、１選択期間１Ｈより短く設定されているので、当該選択期間が
終了する前にはノードＡの電圧は閾値Ｖｔｈ2以上となり、論理回路３６４２の出力信号
はＬレベルになってトランジスタ３６４４はオフする。したがって、選択期間が終了して
、負極性の選択電圧−ＶＳから非選択電圧ＶＣに戻るときにその変化を妨げない。
【００２４】
なお、走査信号Ｙｉが選択電圧＋ＶＳまたは−ＶＳから非選択電圧ＶＣに変化すると、
論理回路３６３２の出力信号はＨレベルとなり、論理回路３６４２の出力信号はＬレベル
となる。このため、トランジスタ３６３４、３６４４はいずれもオフとなり、その共通ド
レインはハイインピーダンス状態となる。このため、走査信号Ｙｉが選択電圧ＶＣに変化
する際には、なんら波形整形されないが、そもそもＴＦＤ２２０がオフであるがゆえに、
液晶容量１１８の電圧実効値がほとんど変化しないので、表示品位に影響を与えることは
ない、と考えられる。
ここでは、行を特定せずにｉ行目の走査線３１２として説明したが、走査線補助駆動回
路３６０は各行に設けられるので、１行目から３２０行目までのすべての走査線３１２に
ついて同様に走査信号の波形鈍りが改善される。
【００２５】
このように本実施形態によれば、走査線補助駆動回路３６０が、走査線に３１２に対し
て選択電圧＋ＶＳまたは−ＶＳが印加される際の波形鈍りが改善されるので、表示品位の
低下が未然に防止されることになる。
また、本実施形態に係る走査線補助駆動回路３６０では、走査線主駆動回路３５０とは
異なり、スタートパルスＤＹやクロック信号ＣＬＹ等を供給する必要がないので、シフト
レジスタ等が不要である。このため、構成を簡易化することが容易となるので、低コスト
化や小型化の阻害要因にはなり得ない。
【００２６】
なお、上述した実施形態では、各行毎にコンデンサと抵抗からなる微分回路を設ける構
成であったが、これを総て論理回路で置き換える構成も可能である。図７は、他の走査線
補助駆動回路３６０の回路構成例を示す図である。
図７において、符号３６３３、３６４３、３６２３、３６２４以外は図３と同じ構成で
同じ機能をするので、これらの説明を省略する。３６３３は否定論理積回路で、閾値Ｖｔ
ｈ１を持ち、正極性の選択電圧＋ＶＳおよび負極性の選択電圧−ＶＳ（またはＶＣ）を電
源として動作する。３６４３は反転入力の論理積回路で、閾値Ｖｔｈ２を持ち、正極性の
選択電圧＋ＶＳ（またはＶＣ）および負極性の選択電圧−ＶＳを電源として動作する。
２つの論理積回路３６３３と３６４３の一方の入力端とは、それぞれｉ行目の走査線３
１２に接続されている。論理積回路３６３３の他方の入力端は、制御線３６２３に接続さ
れる一方、論理積回路３６４３の他方の入力端は、制御線３６２４に接続されている。
なお、図７では、１行分の走査線補助駆動回路３６０しか示されていないが、各行の走
査線補助駆動回路３６０における論理積回路３６３３の他方の入力端は、制御線３６２３
に共通接続され、同様に、各行の走査線補助駆動回路３６０における論理積回路３６３４
の他方の入力端は、制御線３６２４に共通接続されている。
また、制御線３６２３には、各選択期間の終了間際から次の選択期間の開始までの期間
だけ、閾値Ｖｔｈ1を下回る電圧となり、その他の期間では、閾値Ｖｔｈ1以上となる電圧
となる制御信号が供給される一方、制御線３６２４には、各選択期間の終了間際から次の
選択期間の開始までの期間だけ、閾値Ｖｔｈ２以上の電圧となり、その他の期間では、閾
値Ｖｔｈ２を下回る電圧となる制御信号が供給される。これら制御信号は、例えば制御回
路４００によって液晶パネル１００の水平走査に同期して生成される。
このような構成において、選択期間が開始して、ｉ行目の走査信号Ｙｉが非選択電圧Ｖ
Ｃから正極性の選択電圧＋ＶＳに変化する際に、走査信号Ｙｉ上の電圧が閾値Ｖｔｈ1以
上の電圧に達すると、論理積回路３６３３はＬレベルを出力し、トランジスタ３６３４を
オンにする。この状態は、選択期間の終了間際に制御線３６２３に印加する電圧が閾値Ｖ
ｔｈ1を下回るまで続き、それ以降、論理積回路３６３３はＨレベルを出力し、トランジ
スタ３６３４をオフにする。
同様に、選択期間が開始して、ｉ行目の走査信号Ｙｉが非選択電圧ＶＣから負極性の選
択電圧−ＶＳに変化する際に、走査信号Ｙｉ上の電圧が閾値Ｖｔｈ2を下回ると、論理積
回路３６３４はＨレベルを出力し、トランジスタ３６４４をオンにする。この状態は、選
択期間の終了間際に制御線３６２４に印加する電圧が閾値Ｖｔｈ２以上になるまで続き、
それ以降、論理積回路３６４３はＬレベルを出力し、トランジスタ３６４４をオフにする
。よって、図３に示した回路構成と同様の動作をする。
【００２７】
また、実施形態にあっては、オン電圧を時間的に後方に寄せて印加する後縁駆動を採用
したが、これに限られず、オン電圧を時間的に前方に寄せて印加する前縁駆動を採用して
も良い。更に、一定振幅のパルス状ではなく、電圧振幅を増減させる、いわゆる、電圧振
幅変調駆動を採用しても良い。
上述した実施形態では、１水平走査期間（１Ｈ）の全期間にわたって、選択した走査線
３１２に選択電圧を印加する構成としたが、１水平走査期間を前半および後半期間に分け
て、このうち、いずれかの期間に選択電圧を印加する一方、データ信号として、選択電圧
の印加期間にわたって階調値に応じたパルス幅のオン電圧とし、残りの期間にわたって反
転電圧を供給する構成（いわゆる０．５Ｈセレクト）としても良い。
さらに、実施形態では、電圧無印加状態において白色を表示するノーマリーホワイトモ
ードであるとしたが、電圧無印加状態において黒色を表示するノーマリーブラックモード
としても良い。なお、ノーマリーブラックモードであれば、選択電圧の印加期間において
パルス幅が長いほど、画素が明るくなる。
また、６４階調表示に限らず、これによりも低階調表示としても良いし、これよりも高
階調表示としても良い。さらに、Ｒ（赤）、Ｇ（緑）、Ｂ（青）の３画素で１ドットを構
成して、カラー表示を行うとしても良い。
【００２８】
液晶パネル１００は透過型に限られず、反射型や、両者の中間的な半透過半反射型であ
っても良い。また、液晶パネル１００において、ＴＦＤ２２０は、データ線２１２の側に
接続され、液晶容量１１８が走査線３１２の側に接続されているが、これとは逆に、ＴＦ
Ｄ２２０が走査線３１２の側に、液晶容量１１８がデータ線２１２の側にそれぞれ接続さ
れる構成でも良い。
また、実施形態では、ＴＦＤ２２０のようなスイッチング素子で画素電極２３４を駆動
するアクティブマトリクス方式として説明したが、パッシブマトリクス方式でも、同様な
駆動方式であり、走査信号の波形鈍りが同様に発生するので、パッシブマトリクス方式に
も適用可能である。
一方、ＴＦＤ２２０は、スイッチング素子の一例であり、他に、ＺｎＯ（酸化亜鉛）バ
リスタや、ＭＳＩ（Metal Semi-Insulator）などを用いた素子のほか、これら素子を２つ
逆向きに直列接続または並列接続したものなどを、二端子型スイッチング素子として用い
ることが可能であるし、ＴＦＴ（薄膜トランジスタ）のような三端子型スイッチング素子
を用いても良い。
ここで、スイッチング素子として三端子型スイッチング素子を用いる場合に、データ信
号を極性反転して供給して、対向電極を各画素に対して共通化する構成にすると、走査信
号を極性反転する必要がなくなるので、両極性の波形整形が不要となり、いずれか一方極
性の波形整形するだけの構成で足りる。
【００２９】
この構成について図８を参照して説明する。図８は、三端子型スイッチング素子を用い
たパネルの１画素の構成と走査線補助駆動回路３６０の回路構成例を示す図である。
図において、画素１１６は、ｉ行目の走査線３１２とｊ列目のデータ線２１２との交差
に対応しており、ｎチャネル型の薄膜トランジスタ５２０と液晶容量１１８とを有してい
る。なお、薄膜トランジスタ５２０は、三端子型スイッチング素子の一例である。
ここで、スイッチング素子として薄膜トランジスタ５２０のような三端子型を用いる場
合、液晶容量１１８は、画素毎の個別電極と各画素にわたって共通の対向電極とによって
液晶を挟持された構成となる。薄膜トランジスタ５２０のゲート端子は走査線３１２に接
続される一方、ソース端子はデータ線２１２に接続され、ドレイン端子は画素電極に接続
される。
また、この場合、走査線補助駆動回路３６０の構成は、図７の回路構成から論理積回路
３６４３とトランジスタ３６４４と制御線３６２４とを省いた構成となっており、残りの
構成と動作が図７と同じである。すなわち、選択期間が開始して、ｉ行目の走査信号Ｙｉ
が非選択電圧ＶＣから正極性の選択電圧＋ＶＳに変化する際に、走査信号Ｙｉ上の電圧が
閾値Ｖｔｈ1以上の電圧に達すると、論理積回路３６３３はＬレベルを出力し、トランジ
スタ３６３４をオンにする。この状態は、選択期間の終了間際に制御線３６２３に印加す
る電圧が閾値Ｖｔｈ1を下回るまで続き、それ以降、論理積回路３６３３はＨレベルを出
力し、トランジスタ３６３４をオフにする。
【００３０】
また、実施形態では、液晶としてＴＮ型を適用して説明したが、ＳＴＮ型や、分子の長
軸方向と短軸方向とで可視光の吸収に異方性を有する染料（ゲスト）を一定の分子配列の
液晶（ホスト）に溶解して、染料分子を液晶分子と平行に配列させたゲストホスト型など
の液晶を用いても良い。くわえて、電圧無印加時には液晶分子が両基板に対して垂直方向
に配列する一方、電圧印加時には液晶分子が両基板に対して水平方向に配列する、という
垂直配向（ホメオトロピック配向）の構成としても良いし、電圧無印加時には液晶分子が
両基板に対して水平方向に配列する一方、電圧印加時には液晶分子が両基板に対して垂直
方向に配列する、という平行（水平）配向（ホモジニアス配向）の構成としても良い。さ
らには、液晶素子に限られず、他の電気光学物質を用いた素子、例えば、有機ＥＬ素子や
、無機ＥＬ素子、フィールド・エミッション（ＦＥ）素子、ＬＥＤ、さらには、電気泳動
素子、エレクトロ・クロミック素子などを用いても良い。
このように、本発明の駆動方法に適合するものであれば、様々な電気光学素子を用いる
ことが可能である。
【００３１】
次に、上述した実施形態に係る電気光学装置１０を表示装置として有する電子機器につ
いて説明する。図９は、実施形態に係る電気光学装置１０を用いた携帯電話１２００の構
成を示す斜視部である。
この図に示されるように、携帯電話１２００は、複数の操作ボタン１２０２のほか、受
話口１２０４、送話口１２０６とともに、上述した液晶パネル１００を備えるものである
。なお、電気光学装置１０のうち、液晶パネル１００以外の構成要素については電話器に
内蔵されるので、外観としては現れない。
【００３２】
なお、電気光学装置１０が適用される電子機器としては、図７に示される携帯電話の他
にも、デジタルスチルカメラや、ノートパソコン、液晶テレビ、ビューファインダ型（ま
たはモニタ直視型）のビデオレコーダ、カーナビゲーション装置、ページャ、電子手帳、
電卓、ワードプロセッサ、ワークステーション、テレビ電話、ＰＯＳ端末、タッチパネル
を備えた機器等などが挙げられる。そして、これらの各種電子機器の表示装置として、上
述した電気光学装置１０が適用可能であることは言うまでもない。そして、いずれの電子
機器においても、走査信号の波形鈍りを整形することによって、表示品位の低下を抑えて
高品位の表示が簡易な構成によって実現されることになる。
【図面の簡単な説明】
【００３３】
【図１】本発明の実施形態に係る電気光学装置の構成を示すブロック図である。
【図２】同電気光学装置における画素の構成を示す部分破断斜視図である。
【図３】同電気光学装置における走査線補助駆動回路の要部構成を示す図である。
【図４】同電気光学装置の動作を説明するための図である。
【図５】同電気光学装置の動作を説明するための図である。
【図６】同電気光学装置の動作を説明するための図である。
【図７】同電気光学装置における他の走査線補助駆動回路の要部構成を示す図である。
【図８】他の電気光学装置における走査線補助駆動回路の要部構成を示す図である。
【図９】同電気光学装置を用いた携帯電話の構成を示す図である。
【符号の説明】
【００３４】
１００…液晶パネル、１１６…画素、２１２…データ線、２５０…データ線駆動回路、
３１２…走査線、３５０…走査線主駆動回路、３６０…走査線補助駆動回路、４００…制
御回路、３６１０…微分回路、３６３２、３６４２…論理回路、３６３４、３６４４…ト
ランジスタ、１２００…携帯電話
【図１】
2006162828.tif 000003
【図２】
2006162828.tif 000004
【図３】
2006162828.tif 000005
【図４】
2006162828.tif 000006
【図５】
2006162828.tif 000007
【図６】
2006162828.tif 000008
【図７】
2006162828.tif 000009
【図８】
2006162828.tif 000010
【図９】
2006162828.tif 000011